(57)【要約】【課題】凹凸のある床でも、立てて荷重をかけるだけで、自動的に伸縮脚が高さ調整して浮脚を防止してくれる脚立を提供する。【解決手段】脚立４脚のうち２脚を連結された伸縮脚とすることで、立てて固定脚側に荷重をかければ自動的に伸縮調整して浮脚を防止するようにした構造なので、縁石周りや石畳その他の凹凸のある床面でも速やかに安定を確保して３脚と同様な片面を使用した作業ができる。４脚本来の両面に荷重をかけた作業も固定レバー操作だけでできることを特徴とする。【選択図】図１
2015057525.tif 000002
【特許請求の範囲】
【請求項１】
脚立４脚のうち２脚の下部の内部に摺動する伸縮脚を設け、この伸縮脚は互いに連結して基準点からの脚長さ合計が一定となるようにして、荷重を受けると自由伸縮して両脚に均等な荷重がかかるまで高さを自動調整する機能を備えた脚立。
【請求項２】
園芸用の３脚式脚立において、背面脚下部に特許請求項１項記載の自動伸縮調整式ユニットを取り付け、擬似的に４脚式脚立とし、伸縮脚固定モードに切り替えることでつり合い範囲を広げて背面脚側にも荷重をかけて作業できるようにした脚立。
【請求項３】
既存の４脚式固定脚立に補助具として装着固定することで自動接地調整機能を付加できるようにした、脚の角度と幅を自在に調整できる自動伸縮調整ユニット（自在枠式）。
【発明の詳細な説明】
【技術分野】
【０００１】
本発明は、脚立を立てる場所が凹凸のある場合でも、立てて荷重をかければ、自動的に伸縮脚が伸び縮んで接地し、４脚が安定するようにした便利な脚立に関するものである。
【背景技術】
【０００２】
従来、脚立は平らな床に４本脚を立てて倒れないように安定させるものであるが、凹凸がある床であっても脚の高さを調整できるようにした脚立は他にも提案されている。
【先行技術文献】
【特許文献】
【０００３】
【特許文献１】特開２０１３−８７４９０
【発明の概要】
【発明が解決しようとする課題】
【０００４】
従来、4本脚の脚立は床が平らな所に立ちあげるものであり、安全上欠かせない条件である。しかし、作業環境が必ずしも平らな場所でなくても立てて作業したい場合が多々ある。凹凸床に４本脚の脚立を立てると、１本脚が宙に浮いて不安定な状況となることがある。それを防止するために、４本脚の高さを１本１本調節できるようにしたものはあるが、手間がかかり面倒である。また別の方式として、園芸用脚立のように３本脚の脚立を使用すれば、脚が宙に浮くことは防げるが、安定して作業できる範囲が片面の梯子面に限定されてしまう。背面脚側に荷重をかけることはつりあい安定上無理があり、足を乗せられる踏み台を設けられない。
本発明は、凹凸床でも速やかに４本脚が接地して安定して作業ができる脚立を提供することを目的として開発したものである。
【課題を解決するための手段】
【０００５】
課題を解決するために本発明は以下の構成とした。
脚立の４本脚のうち２本は固定脚として使用し、他の２本脚は伸縮できる構造とし、その伸縮脚は互いにワイヤーで連結されて一対で使用する構成とする。ワイヤーはそれぞれの伸縮脚上端に繋がれ中央の連結パイプを経由して固定の長さで結ばれており、それぞれの伸縮脚の出入り長さの合計が一定になるように調整される。この伸縮脚連結ワイヤーを自由に動くようにして脚立を凹凸床に立て、固定脚側に荷重をかけると、伸縮脚の床に接地した側は床からの反作用を受けて縮む。すると他方の床から浮いている側の脚はワイヤーで引っ張られるので伸縮脚が下に伸びる。つまり、伸縮脚の両脚が床に接地し均等な荷重が掛かった位置まで伸縮してバランスされる。この自動的に調節してバランスする安定範囲は固定脚２本と伸縮脚2本を結ぶ直線の中央の１点が構成する３角形の内側の範囲である。見かけ上は４本脚が接地して立っているが、荷重のつり合いからみると、３脚と同等となる（図５（８）自由伸縮モードつり合い安定図）。しかし、固定脚側の面を使用して昇り降りや作業足場として使用する限りこれで十分安定して作業できる。
一方、４本脚が接地したところで伸縮脚の連結ワイヤーを動かないように固定すると、４本脚はそこで動きを固定される。つまり、通常の4本脚の脚立と同様に安定するので、両面を使用しての作業ができ、脚立上部での両面跨ぎ作業ができる（図５（７）固定モードつりあい安定範囲）。
この伸縮脚の連結ワイヤーは自由に摺動する「自由伸縮モード」と摺動を止める「固定モード」を一箇所の固定レバーで容易に切り替えできる。
【発明の効果】
【０００６】
本発明は、下記の効果を有する。
１．脚立は４本の脚が平らな床に接地して、はじめて安定を確保できる。この脚立は床面に凹凸があって、一脚が床面から浮いてしまう状態であったとしても、「自由伸縮モード」であれば固定脚側に荷重がかかると自動的に伸縮脚が伸び縮みして接地するため速やかに安定を確保できる。自動接地調整後に「固定モード」に切り替えれば４本脚の脚立本来の使用方法ができる。
作業に掛かれるまでの工数と時間は４本脚を１本ずつ調整する方式と比べ大幅に短縮できる。
２．「自由伸縮モード」のままであっても3脚と同等のつりあい原理で一定水準で安定が確保できているため、固定脚側片面使用であればそのまま作業に使える。
３．伸縮脚の動作範囲内では無段階調整であるため、わずかな段差であっても荷重をかければ自動的に調整する。固い床面で使用する限り、浮き脚でのガタツキは感じない。縁石周辺や石畳のような微妙な凹凸がある所でも安定して作業ができる。
【図面の簡単な説明】
【０００７】
【図１】本発明の使用斜視図（実施例１）
【図２】本発明の使用斜視図（実施例２）
【図３】本発明の使用斜視図（実施例３）
【図４】本発明の自動伸縮調整ユニット（固定枠型）
【図５】荷重つりあい安定範囲図
【図６】本発明の自動伸縮調整ユニット（自在枠型）
【発明を実施するための形態】
【０００８】
自動伸縮調整ユニット（固定枠型）は脚立本体につながる角パイプを外脚として使用する。同時に、これを外枠として中で摺動する角パイプを組み合わせて伸縮脚を構成する。固定枠型外脚は中央で角パイプが溶接され連結されている。連結部両端内部には滑車が配置され、ワイヤーが通せるように穴も貫通している。伸縮脚一対は滑車が通る側の摺動範囲にそれぞれ溝穴が開けられている。ワイヤーは一方の伸縮脚上部と連結され、パイプ内側を下方に伸びて滑車に沿わせ、水平方向に向きを変えて、連結パイプ内を通って、他方の滑車にて上方に向きを変えて伸縮脚上端に繋がれている。さらに、伸縮脚の上端にはバネが連結され、上部外脚の適当な位置ににそれぞれ繋がっている。荷重が掛かる方向はワイヤーが受けるが、バネは脚立運搬時等に逆方向の力が掛かった時にワイヤーが弛むのを防止している。作業時の荷重はワイヤーで受けるので十分な荷重強度をもつものを採用することが必要であり、結合部の抜け防止にも十分な配慮が必要である。左右伸縮脚の連結にはチェーン等種々の方式や材料が考えられるが、材料の重量や占有面積そして耐久性を考慮すると、ステンレスワイヤーケーブルが十分な機能を有している。これにより伸縮脚は基準点からの脚の長さ合計が一定の状態を保ちながら自由伸縮ができる構造が組み上げられたが、最適な位置で脚固定する仕組みも必要である。ここでは連結ワイヤーを外脚に取り付けのナットとボルトの間に挟んで固定する方式を採用した。これにより、自由伸縮モードと固定モードがレバーの操作で簡単確実に切り替えができる。（図４）
【０００９】
園芸用脚立向け自動伸縮調節ユニットは、前節（０0０８）項と同じ固定枠型を外枠形状を変え、背面脚下部に取り付けたものである。また背面脚上部の適切な位置に踏み台も設置する。これにより地面に立てて４脚接地したところで固定モードに切り替えて使用すれば荷重つり合い安定範囲が広がり、背面脚側にも荷重がかけられるようになる。これにより上部での作業範囲が広く取れるようになる。（実施例２）
【００１０】
自動接地調整ユニット（自在枠型）は脚の取り付け角度と脚間距離を調節可能にしたユニットである。取り付け角度調整には両サイト゛の外脚と接合パイプをそれぞれ１本のピンで接続し、水平軸のまわりに外脚を回転できるようにする。脚間距離を調節可能にするには、外枠と内枠を摺動可能とし、内枠に滑車４個を組み合わせて内臓し、２系統のワイヤーの通し方を組み合わせることで脚を支える枠の距離が変わっても、伸縮脚の合計長さは変わらない構造とした。（図６）これにより様々なサイズの既存脚立の下部にも取り付け可能となり、脚部に装着固定することで既存脚立に自動接地調整機能を付加するものである。また他方の固定脚側に伸縮可能でしかも固定できる方式の長い伸縮脚を設置すれば大きな段差にも対応が可能となる。（実施例３）
【産業上の利用可能性】
【００１１】
一般的に使われている４脚式脚立と同様な使い方ができるが、特に縁石周りや石畳等の小さな凹凸がある場所での使用において、作業性と安全性の点で便利である。
【符号の説明】
【００１２】
（１）外脚
（２）連結ワイヤー
（３）伸縮脚
（４）バネ
（５）固定レバー
（６）ゴム底
（７）固定モードつりあい安定範囲
（８）自由伸縮モードつりあい安定範囲
【図１】
2015057525.tif 000003
【図２】
2015057525.tif 000004
【図３】
2015057525.tif 000005
【図４】
2015057525.tif 000006
【図５】
2015057525.tif 000007
【図６】
2015057525.tif 000008